(57)【要約】【課題】外装体の開口を拡げる際、より違和感なく外装体を変形させることが可能となる収容体を提供する。【解決手段】板状材を用いて上方へ開いた開口を有する筒状に形成された外装体と、当該外装体の内側に配置される袋体とを備え、前記袋体に収容された内容物を上方から取出し可能とする収容体であって、前記外装体は、前記袋体を介して前後に対向する前側および後側の対向面部それぞれと、前記対向面部それぞれの左端に連接してこれらを連結する左側の連結部と、前記対向面部それぞれの右端に連接してこれらを連結する右側の連結部と、を有し、左右の前記連結部同士が互いに近づいて、前記対向面部それぞれが前後に対向したまま離れて前記開口が拡がる収容体とする。【選択図】図５
2020029290.tif 000002
【特許請求の範囲】
【請求項１】
板状材を用いて上方へ開いた開口を有する筒状に形成された外装体と、当該外装体の内側に配置される袋体とを備え、前記袋体に収容された内容物を上方から取出し可能とする収容体であって、
前記外装体は、
前記袋体を介して前後に対向する前側および後側の対向面部それぞれと、前記対向面部それぞれの左端に連接してこれらを連結する左側の連結部と、前記対向面部それぞれの右端に連接してこれらを連結する右側の連結部と、を有し、
左右の前記連結部同士が互いに近づいて、前記対向面部それぞれが前後に対向したまま離れて前記開口が拡がることを特徴とする収容体。
【請求項２】
左側の前記連結部の左端および右側の前記連結部の右端それぞれは、折り曲がった側縁として形成され、
左側の前記連結部と前記対向面部それぞれの境界、および右側の前記連結部と前記対向面部それぞれの境界には、折り目が形成され、
前記外装体は、
左右の前記連結部同士が互いに近づく方向へ押された際、前記側縁それぞれでの内角が大きくなり、前記折り目それぞれでの内角が小さくなるように変形することを特徴とする請求項１に記載の収容体。
【請求項３】
前記折り目それぞれは、上方へ向かうほど左右方向の外側寄りとなるように、上下方向に対して傾斜していることを特徴とする請求項２に記載の収容体。
【請求項４】
前記袋体は、前記対向面部における所定領域のみへの接着により前記外装体へ固定されることを特徴とする請求項２または請求項３に記載の収容体。
【請求項５】
前記所定領域は、前記対向面部の左右方向中央近傍において上下方向に伸びた領域であることを特徴とする請求項４に記載の収容体。
【請求項６】
前記側縁に、使用者の指が嵌まる窪み部を形成したことを特徴とする請求項２から請求項５の何れかに記載の収容体。
【請求項７】
前記袋体は前記開口より上方へ張出した張出し部を有し、
前記外装体に切欠きを設けることにより、前側または後側へ折り返された前記張出し部の一部を内側へ差込み可能としたことを特徴とする請求項２から請求項６の何れかに記載の収容体。
【請求項８】
前記切欠きは、前記外装体の前記側縁の一部を含むように形成されたことを特徴とする請求項７に記載の収容体。
【請求項９】
前記連結部の下側の縁は、左右方向の外側へ向かうほど上側寄りとなるように、左右方向に対して傾斜していることを特徴とする請求項１から請求項８の何れかに記載の収容体。
【発明の詳細な説明】
【技術分野】
【０００１】
本発明は袋体と外装体を有する収容体に関する。
【背景技術】
【０００２】
従来、食品等の内容物を収容する袋体と、当該袋体の外側に配置される外装体とを備えた収容体が提案されている。例えば特許文献１には、軟質樹脂フィルムにより形成した袋本体１１の上端の内面に一対のチャック部材１２を対向配置したチャック付き袋（上記の「袋体」に相当する）と、前面部と背面部と両側端の折罫とを有して厚紙により形成されるとともにチャック付き袋１０を挿通する筒状のスリーブ２０（上記の「外装体」に相当する）とを備えた複合容器（上記の「収容体」に相当する）が開示されている。
【０００３】
このような構成によれば、例えば外装体を簡易的な器として利用できるようにし、使用者がこの外装体を手に持つなどして内容物を便利に喫食することが可能となる。また、内容物が熱い場合であっても、袋体を直接持たず外装体を持つことによって手に伝わる熱が軽減され、より持ち易くなる。
【先行技術文献】
【特許文献】
【０００４】
【特許文献１】特許第６１６０１３５号公報
【発明の概要】
【発明が解決しようとする課題】
【０００５】
上述した収容体は、使用前には持ち運びに便利となるようにコンパクトであることが望ましく、使用時には外装体の開口を拡げて内容物を容易に取出し可能となることが望ましい。この点、特許文献１に開示された容器は、左右両端と折り線２１において折り曲げ可能とされており、これによって開口を拡げるように変形可能とされている。
【０００６】
しかし特許文献１に開示された容器の開口は、当文献の図２等に示すように、容器の左右両端が内向きに押されると、折り線２１が急激に折れ曲がるようにして、上方視により概ね菱形に変形しながら拡がるようになっている。このように変形すると、左右両端を押した際に容器の左右方向寸法や前後方向寸法が急激に変化し、更に開口の形状も急激に変化するため、使用者に違和感を生じさせ易くなる虞がある。この場合には、例えば、使用者が思い通りに開口を拡げることができず不便を感じたり、不意に容器を必要以上に大きく変形させてしまい、内容物を溢れさせてしまうといった事態が懸念される。
【０００７】
本発明は上述した問題点に鑑み、外装体の開口を拡げる際、より違和感なく外装体を変形させることが可能となる収容体の提供を目的とする。
【課題を解決するための手段】
【０００８】
本発明に係る収容体は、板状材を用いて上方へ開いた開口を有する筒状に形成された外装体と、当該外装体の内側に配置される袋体とを備え、前記袋体に収容された内容物を上方から取出し可能とする収容体であって、前記外装体は、前記袋体を介して前後に対向する前側および後側の対向面部それぞれと、前記対向面部それぞれの左端に連接してこれらを連結する左側の連結部と、前記対向面部それぞれの右端に連接してこれらを連結する右側の連結部と、を有し、左右の前記連結部同士が互いに近づいて、前記対向面部それぞれが前後に対向したまま離れて前記開口が拡がる構成とする。
【０００９】
本構成によれば、外装体の開口を拡げる際、より違和感なく外装体を変形させることが可能となる。なおここでの「対向面部それぞれが前後に対向したまま離れて」とは、対向面部同士が完全に平行状態を維持する形態に限られず、対向したまま平行状態から少しずれる形態も含む概念である。
【００１０】
また上記構成としてより具体的には、左側の前記連結部の左端および右側の前記連結部の右端それぞれは、折り曲がった側縁として形成され、左側の前記連結部と前記対向面部それぞれの境界、および右側の前記連結部と前記対向面部それぞれの境界には、折り目が形成され、前記外装体は、左右の前記連結部同士が互いに近づく方向へ押された際、前記側縁それぞれでの内角が大きくなり、前記折り目それぞれでの内角が小さくなるように変形する構成としてもよい。
【００１１】
また上記構成としてより具体的には、前記折り目それぞれは、上方へ向かうほど左右方向の外側寄りとなるように、上下方向に対して傾斜している構成としてもよい。また上記構成としてより具体的には、前記袋体は、前記対向面部における所定領域のみへの接着により前記外装体へ固定される構成としてもよい。更に当該構成としてより具体的には、前記所定領域は、前記対向面部の左右方向中央近傍において上下方向に伸びた領域である構成としてもよい。
【００１２】
また上記構成としてより具体的には、前記側縁に、使用者の指が嵌まる窪み部を形成した構成としてもよい。また上記構成としてより具体的には、前記袋体は前記開口より上方へ張出した張出し部を有し、前記外装体に切欠きを設けることにより、前側または後側へ折り返された前記張出し部の一部を内側へ差込み可能とした構成としてもよい。更に当該構成としてより具体的には、前記切欠きは、前記外装体の前記側縁の一部を含むように形成された構成としてもよい。また上記構成としてより具体的には、前記連結部の下側の縁は、左右方向の外側へ向かうほど上側寄りとなるように、左右方向に対して傾斜している構成としてもよい。
【発明の効果】
【００１３】
本発明に係る収容体によれば、外装体の開口を拡げる際、使用者が自然な形態で外装体を変形させることが可能となる。
【図面の簡単な説明】
【００１４】
【図１】本実施形態に係る収容体Ｘの概略的な外観図である。
【図２】本実施形態に係る板状材２ａの構成図である。
【図３】別の形態とした板状材２ｂの構成図である。
【図４】袋体１が接着固定される領域Ｙに関する説明図である。
【図５】開口ＯＰを拡げる際に収容体Ｘが変形する様子の説明図である。
【図６】張出し部１２の角部分を外装体２の内側へ差込んだ状態の説明図である。
【図７】切欠き部２２ｃの形状に関する説明図である。
【図８】折り目２３の向きに関する説明図である。
【発明を実施するための形態】
【００１５】
以下、本発明の実施形態について各図面を参照しながら説明する。なお以下に説明する上下、左右、および前後の各方向（互いに直交する方向）は、特に断りの無い限り各図に示すとおりである。これらの各方向は、前後方向を対向面部が対向する向きとし、上方向を外装体が開口する向きとなるように、便宜的に定めたものに過ぎない。
【００１６】
１．収容体の構成等
図１は、本実施形態に係る収容体Ｘの概略的な外観図である。なお本図においては、収容体Ｘの前方視点による外観図が示されており、更に、その上側には上方視点による外観図が、左側には左方視点による外観図がそれぞれ示されている。なお収容体Ｘの形状は、基本的に前後および左右のそれぞれに対称である。
【００１７】
収容体Ｘは、食品等の内容物を収容する袋体１（本実施形態の例ではスタンディングパウチ）と、袋体１の外側に配置される外装体２とを備えている。本実施形態では一例として、湯を加えることによって飲食用のスープとなるスープの素が内容物として袋体１に収容され、封止されている。図１に示す状態の収容体Ｘは、一例として左右方向寸法が12cm程度、上下方向寸法が14cm程度とされている。
【００１８】
外装体２は、前方視で上下左右の辺を有する略矩形状であり、板状材（本実施形態では、一例として紙材質の部材）を用いて上方へ開いた開口ＯＰを有する筒状に形成されている。外装体２は、袋体１を介して前後に対向する前側の対向面部２１Ｆおよび後側の対向面部２１Ｂ（以下、これらを「対向面部２１」と総称することがある）のそれぞれと、前後の対向面部２１それぞれの左端に連接してこれらを連結する左側の連結部２２Ｌと、前後の対向面部２１それぞれの右端に連接してこれらを連結する右側の連結部２２Ｒと、を有する。以下の説明では、左側の連結部２２Ｌおよび右側の連結部２２Ｒを、「連結部２２」と総称することがある。対向面部２１の左右方向寸法は、一例として4.2cm（下端部）〜5.5cm（上端部）程度とされている。初期状態においても対向面部２１の左右方向寸法は、連結部２２の左右方向寸法に比べて同等または大きくなっている。
【００１９】
左側の連結部２２Ｌの左端および右側の連結部２２Ｒの右端それぞれは、折り曲がった側縁２２ａとして形成されている。また、左側の連結部２２Ｌと前後の対向面部２１それぞれの境界、および右側の連結部２２Ｒと前後の対向面部２１それぞれの境界には、折り目２３が形成されている。前後それぞれの折り目２３同士の間（すなわち対向面部２１）、および折り目２３と側縁２２ａの間の部分は、何れも平板状となっている。
【００２０】
左右の連結部２２それぞれには、窪み部２２ｂ、切欠き部２２ｃ、保持部２２ｄ、および傾斜底部２２ｅが形成されている。窪み部２２ｂは、左右の側縁２２ａの上下方向略中央部において、前後それぞれの連結部２２に設けられた窪み部分である。窪み部２２ｂは、人の指の腹がフィットする程度のサイズで、前方視により概ね半円状の窪みとして形成されている。
【００２１】
切欠き部２２ｃは、左右の側縁２２ａの上側寄り部分において、前後それぞれの連結部２２へ設けた切欠き部分である。また、切欠き部２２ｃの左右方向外側かつ下側には、保持部２２ｄが設けられている。保持部２２ｄの縁は切欠き部２２ｃに面している。傾斜底部２２ｅは、左右の連結部２２それぞれの下側の縁に相当し、左右方向外側へ向かうほど上側寄りとなるように、左右方向に対して傾斜している。なお対向面部２１の下側の縁は傾斜しておらず、左右方向に伸びている。
【００２２】
袋体１は、パウチ形成用のシート部材を用い、前後に重ねた当該部材の縁部同士を接着して形成される。封止部１１はこの接着された領域であり、内容物を密封する役割を果たしている。また袋体１は、前方視で上下左右の辺を有する略矩形状であり、左右方向寸法は外装体２の内側の左右方向寸法とほぼ同等であって、上下方向寸法は概ね張出し部１２の分だけ外装体２の上下方向寸法よりも大きい。
【００２３】
袋体１は大部分が外装体２の内側に配置されているが、張出し部１２が外装体２の開口ＯＰから上方へ張出している。張出し部１２の左右両端の所定位置には、切込み部１３が設けられている。切込み部１３は、使用者が張出し部１２の上部（図１に破線で示す位置）を手で切断し易くするためのものであり、この切断によって袋体１を開けることが出来る。
【００２４】
外装体２は、図２に示す形状の板状材２ａを用いて形成される。より具体的には、全体として筒状を形成するように板状材２ａが同図に破線で示す箇所（側縁２２ａおよび折り目２３の箇所）で折り曲げられた上で、接着片部２５を被接着部２５ａへ接着することにより形成される。収容体Ｘは、このように筒状に形成された外装体２の内側へ、予め内容物を収容して封止されている袋体１を接着することにより形成される。
【００２５】
この際に袋体１は、図４に着色して示す所定の領域Ｙのみにおいて、外装体２に接着固定される。この領域Ｙは、対向面部２１の左右方向中央近傍において外装体２の縁近傍まで上下方向に伸びた領域である。領域Ｙの左右方向幅は、例えば対向面部２１の左右方向幅の１／５程度とすれば良い。本実施形態では前後両方の対向面部２１において、領域Ｙでの袋体１の接着がなされる。
【００２６】
なお、外装体２を形成するための板状材２ａの代わりに、例えば図３に示す板状材２ｂを用いることも可能である。しかし図３に示す板状材２ｂを用いる場合は、窪み部２２ｂや切欠き部２２ｃが介在することによって接着片部２５と被接着部２５ａがそれぞれ分断されており、その分、これらを接着する作業が複雑化する虞がある。本実施形態では接着片部２５と被接着部２５ａそれぞれが一連となった板状材２ａを用いるため、当該問題は解消され量産性に優れている。
【００２７】
２．収容体の使用方法等
次に、収容体Ｘの使用方法について説明する。本実施形態の例（収容体Ｘの内容物としてスープの素が収容されている）では、袋体１における切込み部１３を利用して張出し部１２の上側を切断除去して袋体１を開け、外装体２の上側の開口ＯＰを拡げるようにする。ここで開口ＯＰを拡げる際には、指等を用いて左右の連結部２２同士を互いに近づく方向（つまり、左右方向内側）へ押すようにすれば、前後の対向面部２１それぞれが前後に対向したまま離れて開口ＯＰを拡げることが出来る。
【００２８】
図５は、このようにして開口ＯＰを拡げる際に収容体Ｘが変形する様子を、上方視点により概略的に示している。なお本図において、着色矢印は左右の連結部２２が押される方向を、白抜矢印は収容体Ｘが変形する順をそれぞれ示している。
【００２９】
図５（ａ）に示す初期状態の収容体Ｘにおいて左右の連結部２２が押されると、左右の連結部２２それぞれは、前後へ開くように（上方視により側縁２２ａを軸として、前後の連結部２２それぞれが逆方向へ同程度に回転するように）変形する。その結果、図５（ｂ）に示すように、前後の対向面部２１それぞれが前後に対向したまま離れて開口ＯＰが拡がることになる。この際、前後の対向面部２１の上端縁は、初期状態から略平行を維持したまま前後方向へ離れる。
【００３０】
更に左右の連結部２２が押され続けると、図５（ｃ）に示すように開口ＯＰは十分に拡げられる。この程度にまで開口ＯＰが拡げられると、袋体１内部へ湯を入れることも容易である。袋体１内部へ湯を入れると、予め袋体１に収容されていたスープの素と混ざって飲食用のスープが出来上がる。
【００３１】
なお、袋体１内部へ湯を入れ始めると袋体１が下側から膨らみ出し、これにより特に対向面部２１の下側寄り部分が、袋体１によって内側から押されることになる。そのため、対向面部２１の下端が徐々に斜め上方へ持ち上げられる。ここで仮に、外装体２の下端が一律に水平であるとすると、例えば台（テーブル等）の上に収容体Ｘを置いてその中へ湯を入れたときに、対向面部２１の下端が斜め上方へ持ち上がって台から徐々に離れ、収容体Ｘの姿勢が不安定となる虞がある。
【００３２】
この点、本実施形態では先述したとおり、連結部２２の下端に傾斜底部２２ｅが形成されているため、対向面部２１の下端が斜め上方へ持ち上がっても、その分、傾斜底部２２ｅが下方へ移動する。これにより、対向面部２１の下端が台から離れてしまう事態を極力防ぎ、収容体Ｘの姿勢を安定させた状態で湯を入れることが可能である。
【００３３】
また、外装体２は袋体１に比べて高い剛性を有しており、上記のようにしてスープが出来上がった後、収容体Ｘはスープの入った簡易なカップとして利用可能である。使用者は外装体２を手に持ち、開口ＯＰの縁に口を付けて中のスープを飲むことも出来る。なお、使用者は収容体Ｘを片手に持って開口ＯＰを拡げた後、そのまま持った状態で袋体１内へ湯を入れ、出来上がったスープを飲むことも出来る。このようにすれば、収容体Ｘを置くことの出来る台が無くても収容体Ｘを利用することが可能である。
【００３４】
使用者が片手で収容体Ｘを持つ際には、例えば親指と中指で左右の窪み部２２ｂを挟むようにすれば持ち易く、指が窪み部２２ｂに引っ掛るため安定して持ち続けることも容易である。更に収容体Ｘは、先述した通り、袋体１と外装体２の接着固定は領域Ｙ（図４を参照）のみでなされている。そのため、使用者が収容体Ｘを持つ際に手に直接触れる連結部１２は、湯の入った袋体１の熱が伝わり難く、熱過ぎて持ち難いという事態は極力回避される。特に本実施形態では、領域Ｙを対向面部２１の左右方向中央部近傍としたため、連結部１２と袋体１の間に空気層がより形成され易く、この点からも連結部１２が熱くなり過ぎる事態は抑制される。
【００３５】
上述した収容体Ｘは、図５（ａ）に示す状態においては、収容体Ｘは極力薄くコンパクトにされており、持ち運びにも便利である。その一方で、図５（ａ）に示す状態においては開口ＯＰが十分に拡がっており、容易に湯を入れたり内容物を取出したりすることが可能である。
【００３６】
更に、図５に示す収容体Ｘの変形過程に着目すると、外装体２の開口ＯＰを拡げる際、使用者が自然な形態で外装体２を変形させることが可能となっている。より詳細に説明すると、外装体２は左右の連結部２２同士が互いに近づく方向へ押された際、側縁２２ａそれぞれでの内角θａが大きくなり、折り目２３それぞれでの内角θｂが小さくなるように変形する。このように外装体２は断面が六角形の筒状を形成しており、内角θａとθｂの差が小さくなるように変形する。
【００３７】
そのため、収容体Ｘが図５の（ａ）〜（ｃ）に示すように順に変形する際、対向面部２１の左右方向寸法Ｌａは変動せず、外装体２全体の左右方向寸法Ｌｂは、連結部２２の左右方向寸法の変動分が小さくなるだけである。更に、前後の対向面部２１は前後に対向した状態が維持される。そのため収容体Ｘは、開口ＯＰを拡げる際に使用者にとって自然な形態で変形し、先述した特許文献１のように急激に寸法や形状が変化することによる違和感を生じ難いものとなっている。また、図５（ｃ）に示す状態の外装体２は、断面が正六角形に比較的近くなっているため形状の安定性も高い。
【００３８】
なお、例えば使用者が片手の親指と中指とで収容体Ｘの左右両端を挟むように持ち、軽く握るようにして開口ＯＰを拡げるケースを想定すると、仮に特許文献１の容器のように側面の角（折り線２１）が前後へ張り出す形態となっていれば、この角が掌や指に比較的強く当たる虞がある。この点、本実施形態の場合は、このようなケースでも対向面部２１の面が前後へ張り出す形態となるため、掌や指への当たりも緩和される。
【００３９】
また、外装体２の開口ＯＰを拡げた後、袋体１の張出し部１２を折り返し、切欠き部２２ｃを介して外装体２の内側へ差込むことが可能である。より詳細に説明すると、張出し部１２における左右両端の封止部１１に施された接着を剥がした上で、開口ＯＰの縁を折り曲げ位置として前側の張出し部１２を前側へ折り返し、後側の張出し部１２を後側へ折り返す。そして折り返された張出し部１２の角部分を、切欠き部２２ｃを介して外装体２の内側へ差込む。
【００４０】
図６は、このようにして張出し部１２の角部分を外装体２の内側へ差込んだ状態を示している。本図に示すように外装体２には、切欠き部２２ｃの下側において、折り返された張出し部１２の角部分（図６に破線で示す箇所）と重なる位置に保持部２２ｄが設けられたため、この内側（すなわち外装体２の内側）へ当該角部分を差込むことが可能である。これにより、折り返された張出し部１２をその状態に保持することが出来る。
【００４１】
上記のように張出し部１２を折り返した状態にすると、張出し部１２の内側表面が開口ＯＰの縁を覆って滑らかにする。そのため、例えば使用者が開口ＯＰの縁に口を付けて中のスープを飲もうとする際に、使用者の口は張出し部１２の内側表面（折り返し位置近傍）に接し、外装体２には直接触れないため安全かつ衛生的である。
【００４２】
なお、上記の切欠き部２２ｃの形状について、本実施形態では図７の（ａ）に示す形状が採用されているが、例えばその他に、（ｂ）或いは（ｃ）に示す形状を採用することも考えられる。なお図７に示す破線は、折り返された張出し部１２の下側の縁の位置を示している。（ａ）に示す形状については、切欠き部２２ｃの上寄り部分（図６および図７にαで示す部分）が側縁２２ａの一部を含むように形成されており、この部分において切欠き部２２ｃが左右方向外部と連通している。一方、（ｂ）および（ｃ）に示す形状ついては、それぞれ切欠き部２２ｃの形状を略三角形および楕円としており、いずれにおいても切欠き部２２ｃは側縁２２ａまで及んでいない。
【００４３】
図７の（ｂ）或いは（ｃ）に示す形状を採用した場合にも、（ａ）に示す形状を採用した場合と同様の手順により、張出し部１２の角部分を外装体２の内側へ差込むことが可能である。特に（ａ）に示す形状を採用した場合には、切欠き部２２ｃが側縁２２ａまで及んでいるため、折り返された張出し部１２の左右方向端部を保持部２２ｄの内側へより円滑に差し込むことができる。
【００４４】
また、外装体２に設けた折り目２３の向きについて、本実施形態では図８の（ａ）に示す形態が採用されているが、例えばその他に、（ｂ）或いは（ｃ）に示す形態を採用することも考えられる。（ａ）に示す折り目２３は、上方へ向かうほど左右方向の外側寄りとなるように上下方向に対して傾斜している。この傾斜の角度θ１は、本実施形態の例では３〜５°程度とされている。（ｂ）に示す折り目２３は、（ａ）に示すものとは逆向きに同程度だけ傾斜している。一方、（ｃ）に示す折り目２３は上下方向に伸びている。
【００４５】
図８に示す各形態の収容体のサンプルを作成し、使用者が握ったときの安定感をそれぞれ評価したところ、（ａ）に示す形態のものが最も安定感があり、持ち易いことが判明した。その理由としては、外装体２の上側寄りにおける左右方向寸法（図５に示す寸法Ｌｂに相当する）の変動が、（ａ）に示す形態とすることにより小さくなるためと考えられる。なお、例えば使用者が収容体Ｘをカップのように手に持っている際、握る力が一定ではないため収容体Ｘの左右方向寸法が多少変動することがあるが、この場合にも、使用者の視線に近い上側寄りの寸法の変動が小さく抑えられると、使用者にとっては変動が小さく安定感があるように感じ易い。
【００４６】
３．その他
以上に説明したとおり、本実施形態に係る収容体Ｘは、板状材２ａを用いて上方へ開いた開口ＯＰを有する筒状に形成された外装体２と、外装体２の内側に配置される袋体１とを備え、袋体１に収容された内容物を上方から取出し可能としている。また外装体２は、袋体１を介して前後に対向する前側および後側の対向面部２１それぞれと、対向面部２１それぞれの左端に連接してこれらを連結する左側の連結部２２Ｌと、対向面部２１それぞれの右端に連接してこれらを連結する右側の連結部２２Ｒと、を有し、左右の連結部２２同士が互いに近づいて、対向面部２１それぞれが前後に対向したまま離れて開口ＯＰが拡がるようになっている。そのため収容体Ｘは、外装体２の開口ＯＰを拡げる際、より違和感なく外装体２１を変形させることが可能である。
【００４７】
また、本実施形態では袋体としてスタンディングパウチが採用されているが、本発明の趣旨を逸脱しない限り、他の種類の袋体を採用することも可能である。一例としては、底部にマチがない平パウチ、或いは両側面にマチがあるサイドガゼットパウチ等が、袋体として採用され得る。なお、底部にマチがあるスタンディングパウチは、一般的に平パウチに比べて広げ易く、側部に４枚のフィルムが重なったサイドガゼットパウチに比べて切込み部から開口して開け易いといった特長を有しており、本発明に係る袋体として特に好適である。
【００４８】
以上、本発明の実施形態について説明したが、本発明の構成は上記実施形態に限られず、発明の主旨を逸脱しない範囲で種々の変更を加えることが可能である。すなわち上記実施形態は、全ての点で例示であって、制限的なものではないと考えられるべきである。本発明の技術的範囲は、上記実施形態の説明ではなく、特許請求の範囲によって示されるものであり、特許請求の範囲と均等の意味及び範囲内に属する全ての変更が含まれると理解されるべきである。
【産業上の利用可能性】
【００４９】
本発明は、食品等を収容する収容体に利用可能である。
【符号の説明】
【００５０】
１          袋体
１１        封止部
１２        張出し部
１３        切込み部
２          外装体
２ａ、２ｂ  板状材
２１        対向面部
２１Ｆ      前側の対向面部
２１Ｂ      後側の対向面部
２２        連結部
２２Ｌ      左側の連結部
２２Ｒ      右側の連結部
２２ａ      側縁
２２ｂ      窪み部
２２ｃ      切欠き部
２２ｄ      保持部
２２ｅ      傾斜底部
２３        折り目
２５        接着片部
２５ａ      被接着部
Ｘ          収容体
【図１】
2020029290.tif 000003
【図２】
2020029290.tif 000004
【図３】
2020029290.tif 000005
【図４】
2020029290.tif 000006
【図５】
2020029290.tif 000007
【図６】
2020029290.tif 000008
【図７】
2020029290.tif 000009
【図８】
2020029290.tif 000010